(57)【特許請求の範囲】
【請求項１】
シンク（２）のコーナー部（２ｃ）に水切りネット（Ｎ）を配置するためのものであって、
水切りネット（Ｎ）の上辺部（Ｎ１）が開口状態で取り付けられるフレーム（１０）と、
このフレーム（１０）をシンク（２）のコーナー部（２ｃ）に支持する支持部（２０）とを有し、
前記支持部（２０）は、シンク（２）のコーナー部（２ｃ）の上面（２ｂ）に当接する下端部（２１）と、この下端部（２１）から上方かつ平面視でシンク内方に向かって斜め上方に伸びる脚部（２２）とを有し、この脚部上部（２３）で前記フレーム（１０）を支持する支持部で有り、
使用時に、平面視で、前記フレーム（１０）の、前記シンク（２）のコーナー部（２ｃ）の湾曲部側に、錘（１１）が設けられ、
前記錘（１１）は、フレーム（１０）内に埋め込まれていることを特徴とする水切りネット支持具。
【発明の詳細な説明】
【技術分野】
【０００１】
本発明は、水切りネット支持具に関するものである。より詳しくは、流し台のシンクのコーナー部に設置される水切りネット支持具に関するものである。
【背景技術】
【０００２】
従来、例えば特許文献１に見られるように、
「吸盤（ ３ ） を取り付けたコーナー本体（ １ ） と、コーナー本体（ １ ） の左右両側面に安定板（ ４ ） を取り付ける。
そして、ゴミ袋（ ６ ） の着脱用に、コーナー本体（ １ ） に嵌るリング（ ５ ） を設ける。
さらに、前記リング（ ５ ） には、ゴミ袋（ ６ ） の滑り止め防止に、ヤスリ目を全面に施す」（同文献請求項）シンク用吸盤付のコーナーゴミ入れ
が知られている。
【０００３】
このコーナーゴミ入れによれば、
「シンクに簡単に取り付けることができ、大容量のゴミにも適用できる。専用のゴミ袋は不要で、市販の物で使用出来る、袋の着脱も簡単で手間がかからない。また、袋ごと捨てるのでシンク内のコーナーが清潔である。」（同文献０００５段落）
という効果が得られる。
【０００４】
しかし、このものは、吸盤をシンク内に取り付ける必要があるから（同０００９段落）、取付が必ずしも簡単であるとは言えない。
また、ゴミ袋（６）は、シンクの上面に置かれる安定板（４）と同じ高さに配置されるリング（５）によって吊り下げられるから、ゴミ袋（６）に多くのゴミを入れることはできない。多くのゴミを入れた場合、ゴミ袋（６）の底部がシンクの底面に着きやすくなり、清潔感が損なわれやすくなる。
【０００５】
また、従来、例えば特許文献２の図８に見られるように、
「それぞれの角が緩やかに湾曲した三角形状の底面３４に、コーナーの対向部に向けて拡径する台形状の切り欠き３３が形成され、コーナーと対向する側壁に、前記切り欠き３３と連続する開口が形成されて、開口の両側に側壁３２が構成され、図１と同様に係止用水平片１４が一体成形されている」（同文献００３２段落）水切り袋保持具３１
が知られている。
【０００６】
この水切り袋保持具３１によれば、
「水切り袋３５を係止用水平片１４とカウンター１９で保持でき、その中に生ごみが溜まった場合には、水切り袋３５を簡単に取り出すことができる。」（同００３３段落）
【０００７】
しかし、このものは、係止用水平片１４がカウンター１９上面と、側壁３２がシンク１８の側面と、水切り袋３５の底部が底面３４と、それぞれ広い面積で接触するため、清潔感が損なわれやすくなる。
【先行技術文献】
【特許文献】
【０００８】
【特許文献１】特開２００６−３４７７６６号公報
【特許文献２】特開２００８−０３０９４４号公報
【発明の概要】
【発明が解決しようとする課題】
【０００９】
本発明が解決しようとする課題は、簡単に設置できて清潔感も得られやすい水切りネット支持具を提供することである。
【課題を解決するための手段】
【００１０】
上記課題を解決するために本発明の水切りネット支持具は、
シンクのコーナー部に水切りネットを配置するためのものであって、
水切りネットの上辺部が開口状態で取り付けられるフレームと、
このフレームをシンクのコーナー部に支持する支持部とを有し、
前記支持部は、シンクのコーナー部の上面に当接する下端部と、この下端部から上方かつ平面視でシンク内方に向かって斜め上方に伸びる脚部とを有し、この脚部上部で前記フレームを支持する支持部で有り、
使用時に、平面視で、前記フレームの、前記シンクのコーナー部の湾曲部側に、錘が設けられ、
前記錘は、フレーム内に埋め込まれていることを特徴とする。
【００１１】
この水切りネット支持具は、上記の構成となっているので、フレームに水切りネットの上辺部を開口状態で取り付け、支持部をシンクのコーナー部の上面に載置するだけで、シンクのコーナー部に水切りネットを配置することができる。
【００１２】
そして、フレームをシンクのコーナー部に支持する支持部は、シンクのコーナー部の上面に当接する下端部と、この下端部から上方かつ平面視でシンク内方に向かって斜め上方に伸びる脚部とを有し、この脚部上部でフレームを支持する構成となっているので、支持部がシンクのコーナー部の上面と接触するのは下端部のみである。
すなわち、この水切りネット支持具がシンクと接触するのは脚部の下端部のみである。
【００１３】
また、脚部は、この下端部から上方かつシンク内方に向かって斜め上方に伸び、この脚部上部でフレームを支持するから、フレームに取り付けられた水切りネットは、シンク側面から離れた状態となりやすい。
したがって、この水切りネット支持具によれば、シンク表面との接触部を脚部の下端部のみとすることが可能となるため、清潔感が得られやすい。
【００１４】
しかも、水切りネットの開口部を支持するフレームは、脚部によって、シンクのコーナー部の上面よりも上方にて支持されるため、水切りネットに入れるゴミの量を多くすることができる。
【００１５】
また、この水切りネット支持具は、
使用時に、平面視で、前記フレームの、前記シンクのコーナー部の湾曲部側に、錘が設けられているので、水切りネット支持具の載置状態が安定する。
【００１６】
さらに、この水切りネット支持具は、
前記錘は、フレーム内に埋め込まれているので、錘を設けたにもかかわらず、錘が露出しないので、清潔感が損なわれない。
【図面の簡単な説明】
【００１８】
【図１】本発明に係る水切りネット支持具の実施の形態を示す図で、（ａ）は平面図、（ｂ）は図（ａ）におけるｂ−ｂ断面図、（ｃ）は図（ａ）におけるｃ−ｃ断面図。
【図２】（ａ）は使用状態を示す部省略平面図、（ｂ）は図（ａ）におけるｂ−ｂ断面図。
【図３】不使用時の参考正面図。
【発明を実施するための形態】
【００１９】
以下、本発明に係る水切りネット支持具の実施の形態について図面を参照して説明する。なお、各図において、同一部分ないし相当する部分には、同一の符号を付してある。
【００２０】
図１，図２に示すように、この実施の形態の水切りネット支持具１は、
シンク２（図２）のコーナー部２ｃに水切りネットＮ（図２（ｂ））を配置するためのものであって、
水切りネットＮの上辺部Ｎ１が開口状態で取り付けられるフレーム１０と、
このフレーム１０をシンク２のコーナー部２ｃに支持する支持部２０とを有している。
【００２１】
支持部２０は、シンク２のコーナー部２ｃの上面２ｂに当接する下端部２１と、この下端部２１から上方（図２（ｂ）矢印Ｕ方向）かつシンク２の内方（図２（ａ）矢印Ｉ方向）に向かって斜め上方に伸びる脚部２２とを有し、この脚部２２の上部２３（図１（ｂ））でフレーム１０を支持する。
【００２２】
この水切りネット支持具１は、上記の構成となっているので、図２に示すように、フレーム１０に水切りネットＮ（図２（ｂ））の上辺部Ｎ１を開口状態で取り付け、支持部２０をシンク２のコーナー部２ｃの上面２ｂに載置するだけで、シンク２のコーナー部２ｃに水切りネットＮを配置することができる。
【００２３】
そして、フレーム１０をシンク２のコーナー部２ｃに支持する支持部２０は、シンク２のコーナー部２ｃの上面２ｂに当接する下端部２１と、この下端部２１から上方かつ平面視でシンク２の内方に向かって斜め上方に伸びる脚部２２とを有し、この脚部２２の上部２３でフレーム１０を支持する構成となっているので、支持部２０がシンク２のコーナー部２ｃの上面２ｂと接触するのは下端部２１（より詳しくは下端部２１の下面）のみである。
すなわち、この水切りネット支持具１がシンク２と接触するのは脚部２２の下端部２１のみである。
【００２４】
また、脚部２２は、この下端部２１から上方かつシンク２の内方に向かって斜め上方に伸び、この脚部２２の上部２３でフレーム１０を支持するから、フレーム１０に取り付けられた水切りネットＮは、シンク２の側面２ｓ（図２）から離れた状態となりやすい。
【００２５】
したがって、この水切りネット支持具１によれば、シンク２の表面との接触部を脚部２２の下端部２１のみとすることが可能となるため、清潔感が得られやすい。
【００２６】
しかも、水切りネットＮの開口部（Ｎ１）を支持するフレーム１０は、図２（ｂ）に示すように、脚部２２によって、シンク２のコーナー部２ｃの上面２ｂよりも上方にて支持されるため、水切りネットＮに入れるゴミＧの量を多くすることができる。
別言すれば、ネットの底部Ｎ３がシンクの底部２ｄに付きにくくすることができる
【００２７】
使用時に、平面視で、フレーム１０の、シンク２のコーナー部２ｃの湾曲部２ｃｃ側には、錘１１が設けられている。
このように構成すると、水切りネット支持具１の載置状態が安定する。
【００２８】
錘１１は、フレーム１０内に埋め込まれている。
このように構成すると、錘１１を設けたにもかかわらず、錘１１が露出しないので、清潔感が損なわれない。
【００２９】
主として図１（ｂ）（ｃ）に示すように、フレーム１０は、脚部２２の上部２３と一体の下フレーム１０Ｄと、この下フレーム１０Ｄに対し上方から着脱可能に取り付けられる上フレーム１０Ｕとを有し、この上フレーム１０Ｕの外周下面に、伸縮性に優れた水切りネットＮの口縁部Ｎ１１（図２（ｂ））を装着する線状溝（平面視リング状の溝）１２が設けられ、この線状溝１２に、下フレーム１０Ｄの上面１３が近接又は当接する構成とする。
【００３０】
このように構成すると、フレーム１０に対し、伸縮性に優れた水切りネットＮの口縁部Ｎ１１を装着しやすくできるとともに、水切りネットＮがフレーム１０から外れにくくすることができる。
【００３１】
フレーム１０、支持部２０は、いずれも公知の適宜の材料、例えば合成樹脂、金属（ステンレス、アルミニウム等）等で構成することができる。
【００３２】
脚部２２は、図１に示すように、アーチ状とすることが望ましい。ゴミＧが重たい場合でも、安定して支えることができるようにするためである。
【００３３】
錘１１は公知の適宜の材料（例えば、鉛、鉄等）で構成することができる。
なお、上記の実施の形態では、脚部２２は左右一対設けたが、これを平面視湾曲状に連続させて、その連結部を錘として作用させても良い。
【００３４】
この水切りネット支持具１で使用する水切りネットＮは、伸縮性に優れた水切りネット（例えば市販の水切り用ストッキングネット）とするのが望ましい。
【００３５】
伸縮性に優れた水切りネットＮを用いると、そのネットＮ自体が持つ弾性によって、図２（ｂ）で示すように、ゴミＧを入れたときに、先細りの垂下形状となりやすいため、シンク２の側面２ｓから離れた状態となりやすい。
【００３６】
下フレーム１０Ｄと上フレーム１０Ｕとの接合構造は、公知の適宜の構造を取り得る。例えば、圧入、フックによる係脱構造等を採用し得る。図１（ｂ）に示すように、接合部の適所に、係脱可能な線状凸部１５ｐと線状凹部１５ｈを設けてもよい。
【００３７】
図１等に示すように、フレーム１０には、下フレーム１０Ｄと上フレーム１０Ｕとの分離作業を容易にするための摘み部１６を設けることが望ましい。
【００３８】
また、摘み部１６には穴１７を設け、不使用時には、図３に示すように、適所に設けたフック４に掛けておくことができるようにすることが望ましい。
【００３９】
以上、本発明の実施の形態について説明したが、本発明は上記の実施の形態に限定されるものではなく、本発明の要旨の範囲内において適宜変形実施可能である。
例えば、
【００４０】
上記の実施の形態では、フレーム１０の平面視での形状は角丸三角状としたが、円形、楕円形、角丸四角形等、水切りネットＮを支持するのに適した形状とすることができる。
【符号の説明】
【００４１】
Ｎ：    水切りネット
Ｎ１：  上辺部
１：    水切りネット支持具
２：    シンク
２ｃ：  コーナー
２ｂ：  上面
１０：    フレーム
１０Ｄ：  下フレーム
１０Ｕ：  上フレーム
１１：    錘
１２：    線状溝
１３：    上面
２０：    支持部
２１：    下端部
２２：    脚部
２３：    脚部上部
【要約】
【課題】簡単に設置できて清潔感も得られやすい水切りネット支持具を提供する。
【解決手段】シンク２のコーナー部２ｃに水切りネットＮを配置するためのものであって、水切りネットＮの上辺部Ｎ１が開口状態で取り付けられるフレーム１０と、フレーム１０をシンク２のコーナー部２ｃに支持する支持部２０とを有し、支持部２０は、シンク２のコーナー部２ｃの上面２ｂに当接する下端部２１と、下端部２１から上方かつ平面視でシンク内方に向かって斜め上方に伸びる脚部２２とを有し、脚部２２の上部２３でフレーム１０を支持することを特徴とする。
【選択図】図２【図１】
0006817489.tif 000002
【図２】
0006817489.tif 000003
【図３】
0006817489.tif 000004